(57)【要約】      （修正有）【課題】異物の侵入を抑制することができる通信装置アセンブリを提供する。【解決手段】通信装置アセンブリ２１は、ケーシング４内に電子部品が収容されており、当該ケーシング４から突出するアンテナ５を有する通信装置２２と、当該通信装置２２を所定の設置面に配置するための取付具２３とを備える。ケーシング４は、アンテナ５の根元が接続される接続部６を有する第１の面４ａと、電気的接続線の出口部７、８を有する第２の面４ｂとを有している。通信装置２２は、第１の面又は第２の面が下方を向くように前記取付具２３に固定される。【選択図】図４
2020038561.tif 000002
【特許請求の範囲】
【請求項１】
ケーシング（４）内に電子部品が収容されており、当該ケーシング（４）から突出するアンテナ（５）を有する通信装置（２，２２）と、当該通信装置（２，２２）を所定の設置面に配置するための取付具（３、２３）とを備えた通信装置アセンブリ（１，２１）であって、
前記ケーシング（４）は、前記アンテナ（５）の根元が接続される接続部（６）を有する第１の面と、電気的接続線の出口部（７，８）を有する第２の面とを有しており、
前記通信装置（２，２２）は、前記第１の面又は第２の面が下方を向くように前記取付具（３、２３）に固定される、通信装置アセンブリ（１，２１）。
【請求項２】
前記第１の面と前記第２の面とは、前記ケーシング（４）の同じ面（４ａ）である、請求項１に記載の通信装置アセンブリ（１）。
【請求項３】
前記取付具（３）は、前記設置面に対して傾斜した傾斜面を有する、請求項１又は請求項２に記載の通信装置アセンブリ（１）。
【請求項４】
前記取付具（３）は、ベースプレート（１１）と、当該ベースプレート（１１）から斜め上方に立設されており且つ前記傾斜面を有する傾斜プレート（１２）とを有しており、
前記通信装置（２）は前記傾斜プレート（１２）の傾斜面の上に、水平面に対して傾斜した状態で固定される、請求項３に記載の通信装置アセンブリ（１）。
【請求項５】
前記ケーシング（４）と前記取付具（３）とが一体に形成されている、請求項１〜請求項４のいずれか１項に記載の通信装置アセンブリ（１）。
【請求項６】
前記ベースプレート（１１）及び傾斜プレート（１２）は金属製であり、当該ベースプレート（１１）及び傾斜プレート（１２）は開口（１３ａ，１３ｂ）又は切欠きを有しており、前記通信装置（２）のアンテナ（５）の少なくとも一部が当該開口（１３ａ，１３ｂ）又は切欠き内に位置するよう当該通信装置（２）が前記傾斜プレート（１２）に固定される、請求項４に記載の通信装置アセンブリ（１）。
【請求項７】
前記傾斜プレート（１２）の傾斜角度が２０〜８０度である、請求項４又は請求項６に記載の通信装置アセンブリ（１）。
【請求項８】
前記取付具（２３）は、前記通信装置（２２）を収容し得る箱状の筐体（２４）と、当該筐体（２４）を所定の設置面に配置するための固定片（２５）とで構成され、
前記通信装置（２２）は、前記筐体（２４）内において、アンテナ（５）が当該筐体（２４）の下面（２４ａ）から筐体（２４）外に突出するように配設される、請求項１に記載の通信装置アセンブリ（２１）。
【請求項９】
前記筐体（２４）の下面（２４ａ）に水抜き可能な孔（２７）が形成されている、請求項８に記載の通信装置アセンブリ（２１）。
【請求項１０】
空気調和機から直接に、又は、当該空気調和機から電源をもらっている周辺機器を介して、電源が供給される、請求項１〜請求項９のいずれか１項に記載の通信装置アセンブリ（２１）。  
【請求項１１】
請求項１〜請求項１０のいずれか１項に記載の通信装置アセンブリ（１，２１）がシステム内に構成される空気調和機システム。
【発明の詳細な説明】
【技術分野】
【０００１】
本開示は通信装置アセンブリに関する。
【背景技術】
【０００２】
分散して配置された複数の冷凍装置を中央のサーバで集中して監視するために、有線ＬＡＮ装置に代えて無線ＬＡＮ装置を用いた監視システムが知られている（例えば、特許文献１参照）。
【先行技術文献】
【特許文献】
【０００３】
【特許文献１】特開２００４−２９７４６１号公報
【発明の概要】
【発明が解決しようとする課題】
【０００４】
空気調和装置、無線ＬＡＮアダプタ、ルータ及びサーバを有し、当該空気調和装置をサーバで監視する空調システムにおいて、現場の状況によっては、当該ルータや無線ＬＡＮアダプタを天井裏に設置することが考えられる。この場合、天井裏にはダクトや水配管が配設されていることがあるので、当該ダクト等からの結露水等の水や塵埃等の異物がルータや無線ＬＡＮアダプタ内に侵入する恐れがある。通信装置であるルータや無線ＬＡＮアダプタには電子部品が内蔵されており、この電子部品に水や塵埃等の異物が触れるとルータや無線ＬＡＮアダプタの機能が損なわれてしまう。
【０００５】
本開示は、異物の侵入を抑制することができる通信装置アセンブリを提供することを目的としている。
【課題を解決するための手段】
【０００６】
本開示の通信装置アセンブリ（以下、単に「アセンブリ」ともいう）は、
（１）ケーシング内に電子部品が収容されており、当該ケーシングから突出するアンテナを有する通信装置と、当該通信装置を所定の設置面に配置するための取付具とを備えた通信装置アセンブリであって、
前記ケーシングは、前記アンテナの根元が接続される接続部を有する第１の面と、電気的接続線の出口部を有する第２の面とを有しており、
前記通信装置は、前記第１の面又は第２の面が下方を向くように前記取付具に固定される。
【０００７】
本開示のアセンブリは、電子部品を収容するケーシングにおける、通信装置のアンテナの根元が接続される接続部を有する第１の面、又は、電気的接続線の出口部を有する第２の面が下方を向くように当該通信装置が取付具に固定されるので、前記接続部又は出口部からケーシング内に結露水等の水や塵埃等の異物が侵入するのを抑制することができる。
【０００８】
（２）前記（１）のアセンブリにおいて、前記第１の面と前記第２の面とを、前記ケーシングの同じ面とすることができる。この場合、アンテナの根元が接続される接続部及び電気的接続線の出口部が下方を向くように通信装置が取付具に固定されるので、当該接続部及び出口部からケーシング内に異物が侵入するのを抑制することができる。
【０００９】
（３）前記（１）又は（２）のアセンブリにおいて、前記取付具は、前記設置面に対して傾斜した傾斜面を有するものとすることができる。この場合、取付具の傾斜面に通信装置を配置することで、当該通信装置の接続部又は出口部からケーシング内に異物が侵入するのを抑制することができる。
【００１０】
（４）前記（３）のアセンブリにおいて、前記取付具は、ベースプレートと、当該ベースプレートから斜め上方に立設されており且つ前記傾斜面を有する傾斜プレートとを有しており、前記通信装置は前記傾斜プレートの傾斜面の上に、水平面に対して傾斜した状態で固定されるものとすることができる。この場合、通信装置は水平面に対して傾斜した状態となるので、ケーシングの第１の面又は第２の面は斜め下方を向く。これにより、前記接続部又は出口部からケーシング内に異物が侵入するのを抑制することができる。
【００１１】
（５）前記（１）〜（４）のアセンブリにおいて、前記ケーシングと前記取付具とを一体に形成することができる。この場合、部品点数を減らすことができる。
【００１２】
（６）前記（４）のアセンブリにおいて、前記ベースプレート及び傾斜プレートは金属製であり、当該ベースプレート及び傾斜プレートは開口又は切欠きを有しており、前記通信装置のアンテナの少なくとも一部が当該開口又は切欠き内に位置するよう当該通信装置が前記傾斜プレートに固定されるものとすることができる。この場合、アンテナの少なくとも一部が金属製のベースプレート及び傾斜プレートの開口又は切欠き内に位置しているので、当該ベースプレート及び傾斜プレートにより通信が阻害されるのを抑制することができる。
【００１３】
（７）前記（４）又は（６）のアセンブリにおいて、前記傾斜プレートの傾斜角度を２０〜８０度とすることができる。この場合、通信装置は水平面に対して２０〜８０度だけ傾斜した状態となるので、ケーシングの第１の面又は第２の面は斜め下方を向く。これにより、前記接続部又は出口部からケーシング内に異物が侵入するのを抑制することができる。
【００１４】
（８）前記（１）のアセンブリにおいて、前記取付具は、前記通信装置を収容し得る箱状の筐体と、当該筐体を所定の設置面に配置するための固定具とで構成され、
前記通信装置は、前記筐体内において、アンテナが当該筐体の下面から筐体外に突出するように配設されるものとすることができる。この場合、通信装置のアンテナの根元が接続される接続部を有する第１の面が下方を向いているので、当該接続部から通信装置のケーシング内に異物が侵入するのを抑制することができる。
【００１５】
（９）前記（８）のアセンブリにおいて、前記筐体の下面に水抜き可能な孔が形成されていることが望ましい。この場合、筐体内に結露水等の水が浸入したとしても当該結露水等の水は筐体の下面に形成された水抜き可能な孔から外部に排出されるので、通信装置のケーシング内に結露水等の水が浸入するのを抑制することができる。
【００１６】
（１０）前記（１）〜（９）のアセンブリにおいて、空気調和機から直接に、又は、当該空気調和機から電源をもらっている周辺機器を介して、電源を供給することができる。
【００１７】
本開示の空気調和機システムは、
（１１）前記（１）〜（１０）のいずれかの通信装置アセンブリがシステム内に構成される。
【００１８】
本開示の空気調和機システムでは、電子部品を収容するケーシングにおける、通信装置のアンテナの根元が接続される接続部を有する第１の面、又は、電気的接続線の出口部を有する第２の面が下方を向くように当該通信装置が取付具に固定されるので、前記接続部又は出口部からケーシング内に異物が侵入するのを抑制することができる。
【図面の簡単な説明】
【００１９】
【図１】本開示のアセンブリの一実施形態の斜視説明図である。
【図２】図１に示されるアセンブリの側面説明図である。
【図３】図１に示されるルータの下面の説明図である。
【図４】本開示のアセンブリの他の実施形態の正面説明図である。
【図５】図４に示されるアセンブリの側面説明図である。
【図６】本開示のアセンブリの更に他の実施形態の側面説明図である。
【図７】本開示のアセンブリの他の実施形態の側面説明図である。
【図８】本開示のアセンブリの更に他の実施形態の側面説明図である。
【図９】本開示のアセンブリの他の実施形態の斜視説明図である。
【発明を実施するための形態】
【００２０】
以下、添付図面を参照しつつ、本開示のアセンブリを詳細に説明する。なお、本開示はこれらの例示に限定されるものではなく、特許請求の範囲によって示され、特許請求の範囲と均等の意味及び範囲内でのすべての変更が含まれることが意図される。
【００２１】
〔実施形態１〕
図１は、本開示の一実施形態に係る、通信装置であるルータ２を含むルータアセンブリ１の斜視説明図であり、図２は、図１に示されるルータアセンブリ１の側面説明図である。ルータアセンブリ１は、本開示の通信装置アセンブリの一実施形態である。
ルータアセンブリ１は、図示しない空気調和機、無線ＬＡＮアダプタ及びサーバを有し、当該空気調和機の作動を中央のサーバで監視する空調システムにおいて使用され、ルータ２と、取付具３とを備えている。
【００２２】
ルータ２は、電子部品を収容するケーシング４と、当該ケーシング４から外部に突出するアンテナ５とを有している。本実施形態のルータ２は２本のアンテナ５を有しているが、アンテナ５の本数は本開示において特に限定されるものではない。
【００２３】
ケーシング４は、例えば ＡＢＳ等の合成樹脂で作製され、箱形状を呈している。ケーシング４の下面４ａ、すなわちルータ２の設置状態において下方を向く面には、図３に示されるように、アンテナ５の根元が接続される接続部６、電気的接続線の出口部７、８が設けられている。出口部７には、一端が空気調和機（図示せず）に接続されたＬＡＮケーブル９の他端が接続され、出口部８には商用電源からの電源線１０の端部のプラグ１０ａが接続される。本実施形態におけるケーシング４の下面４ａは、接続部６を有する第１の面であるとともに、出口部７，８を有する第２の面でもある。換言すれば、本実施形態では、第１の面と第２の面とはケーシング４の同じ面（下面４ａ）である。なお、ルータ２には、空気調和機から直接に、又は、当該空気調和機から電源をもらっている周辺機器を介して、電源を供給することもできる。
【００２４】
取付具３は、ルータ２を所定の設置面に配置するために用いられ、矩形状のベースプレート１１と、前記設置面に対して傾斜する傾斜面１２ａを有する傾斜プレート１２とを備えている。取付具３は、例えば鉄等の金属で作製されている。所定の設置面としては、天井Ｃの上側面を例示することができるが、これに限定されず、屋根が設けられた屋外のベランダの床面等、他の箇所とすることもできる。
【００２５】
傾斜プレート１２は、矩形状を呈しており、前記ベースプレート１１の一辺１１ａから斜め上方に立設されている。傾斜プレート１２とベースプレート１１とのなす角度α（傾斜角度）は、本開示において特に限定されるものではないが、２０〜８０度とすることが好ましい。ルータ２が天井裏等に設置される場合、高さが制限されることが多いことから、ルータ２は水平面に対する角度が小さい方が好ましい。しかし、ルータ２の接続部６又は出口部７，８が下方を向くためには、２０度程度の傾斜角度は必要である。一方、傾斜角度が８０度を超えると設置高さ削減の効果が小さくなる。
【００２６】
傾斜プレート１２は、前記ベースプレート１１の一辺１１ａ側の近傍に矩形状の開口１３ａを有している。また、ベースプレート１１は、前記開口１３ａの下方に当該開口１３ａに対応する形状の開口１３ｂを有している。ルータ２は、傾斜プレート１２における、前記開口１３ａの上縁１３ａ１よりも上側の領域に固定されている。より詳細には、ルータ２のアンテナ５の、少なくとも一部である先端部分５ａが開口１３ａ，１３ｂ内に位置するように当該ルータ２が傾斜プレート１２に固定されている。本実施形態におけるアンテナ５では、この先端部分５ａにおいて送受信が行われる。
【００２７】
なお、開口１３ａ，１３ｂに代えて、ベースプレート１１の一辺１１ａ、及び、この一辺１１ａと接する、傾斜プレート１２の一辺に切欠きを形成してもよい。この場合は、当該切欠き内にルータ２のアンテナ５の、少なくとも一部である先端部分５ａが位置するように当該ルータ２が傾斜プレート１２に固定される。
【００２８】
ルータ２は、例えば溶接やねじによる螺合等により取付具３の傾斜プレート１２に固定することができる。取付具３はアンテナ５の通信を阻害し得る金属で作製されているが、本実施形態では、開口１３ａ，１３ｂ内にルータ２のアンテナ５の先端部分５ａが位置するようにしているので、通信が阻害されるのを抑制することができる。アンテナ５は、通信機能を有する部分が開口１３ａ，１３ｂ内に位置しておればよく、本実施形態の場合は、その先端部分５ａが通信機能を有していることから、当該先端部分５ａが開口１３ａ，１３ｂ内に位置している。アンテナ全体が通信機能を有する場合、通信阻害をより確実に抑制するためには、当該アンテナ全体が開口内に位置することが望ましい。
【００２９】
本実施形態では、接続部６及び出口部７，８を有するケーシング４の下面４ａが下方を向くようにルータアセンブリ１が設置面に配置される。これにより、ルータアセンブリ１を天井裏に配設した場合において、当該天井裏に配設された水配管やダクトからの結露水等の水がルータ２の上に落下したとしても、当該水がルータ２のケーシング４内に浸入するのを抑制することができる。しかも、ルータ２はアンテナ５が水平面に対して傾斜した状態で取付具３に固定されているので、当該アンテナ５を垂直方向に向けた状態でルータ２を配設する場合に比べて設置高さを低くすることができる。その結果、天井裏等の狭いスペースにおけるルータ２の設置の自由度を高めることができる。なお、本明細書における「水」には、前述した水配管やダクトからの結露水以外に、例えば雨水等も含まれる。また、接続部６及び出口部７，８を有するケーシング４の下面４ａが下方を向くようにルータアセンブリ１が設置面に配置されることで、水に限らず、電子部品に悪影響を及ぼす塵埃等の侵入抑制の効果もある。
【００３０】
〔実施形態２〕
図４は、本開示の他の実施形態に係る通信装置アセンブリであるルータアセンブリ２１の正面説明図であり、図５は、図４に示されるルータアセンブリ２１の側面説明図である。
ルータアセンブリ２１は、前述した実施形態１と同様に、図示しない空気調和機、無線ＬＡＮアダプタ及びサーバを有する空調システムにおいて使用され、ルータ２２と、取付具２３とを備えている。なお、本実施形態において、図１〜３に示される実施形態と共通する要素又は構成には同じ参照符号を付し、簡単のため、それらについての説明は省略する。
【００３１】
本実施形態に係るルータアセンブリ２１では、箱形状を呈しているケーシング４の下面４ａに、アンテナ５の根元が接続される接続部６が設けられ、ケーシング４の側面４ｂに、ＬＡＮケーブル９が接続される出口部７及び電源線１０が接続される出口部８が設けられている。本実施形態におけるケーシング４は、その下面４ａが接続部６を有する第１の面であり、その側面４ｂが出口部７，８を有する第２の面である。
【００３２】
取付具２３は、ルータ２２を収容する箱状の筐体２４と、当該筐体２４を所定の設置面に固定する固定片２５とを備えている。筐体２４は、例えばＡＢＳ等の合成樹脂や鉄等で作製することができ、又、固定片２５は、例えば鉄等で作製することができる。筐体２４は、例えばねじによる螺合等で固定片２５に固定することができる。
【００３３】
固定片２５に固定された状態の筐体２４における下面２４ａは、当該固定片２５から離れるにしたがい下方に向かう傾斜面とされている。ルータ２２は、当接下面２４ａからアンテナ５が筐体２４の外部に突出するように当該筐体２４の面２４ｂの裏面に固定されている。アンテナ５は、筐体２４の下面２４ａに形成された開口２６を貫通して当該筐体２４の外部に突出している。この下面２４ａの最も低い部分近傍には水抜き可能な孔２７が形成されている。水抜き可能な孔２７を形成することで、筐体２４内に結露水等の水が浸入したとしても当該結露水等の水は当該水抜き可能な孔２７から外部に排出することができるので、当該筐体２４内に配設されているルータ２２のケーシング４内に結露水等の水が浸入するのを抑制することができる。
【００３４】
ＬＡＮケーブル９及び電源線１０は、それぞれ筐体２４の下面２４ａに形成された開口２８及び開口２９から筐体２４の外部に引き出される。かかる開口２８，２９は下方を向いているので、当該開口２８、２９から筐体２４の内部に結露水等の水や塵埃等の異物が侵入するのを抑制することができる。
【００３５】
〔その他の変形例〕
本開示は前述した実施形態に限定されるものではなく、特許請求の範囲内において種々の変更が可能である。
例えば、前述した実施形態では、ベースプレートの一辺から立設された傾斜プレートにルータを取り付けているが、取付具の形態は、これに限定されるものではない。例えば、図６に示されるように、ベースプレート３０に立設された長短の柱部３１ａ，３１ｂの頂部に配設された傾斜プレート３２にルータ３３を取り付けることもできる。また、図７に示されるように、設置面に設けられるベースプレート４０と、当該ベースプレート４０に、その一端が固定されるロッド状の柱部４１とで構成される取付具４２とすることもできる。この場合、柱部４１の他端にルータ４３が取り付けられる。その際、柱部４１の他端とルータ４３との接続部を、当該ルータ４３の傾斜角度を調節することが可能となるように、角度調整機能付きの接続部４４とすることもできる。
【００３６】
また、前述した実施形態では、取付具として、傾斜面を有するプレート状の部材である傾斜プレート及び同じくプレート状の部材であるベースプレートからなるものを例示しているが、本開示における取付具は、傾斜面を有しておればよく、図８に示されるようなブロック状又は中実の部材５０からなっていてもよい。ルータ５１は、部材５０の傾斜面５０ａの上に固設される。
また、前述した実施形態では、通信装置であるルータのケーシングと、取付具とは別々の部材であり、当該ケーシングを取付具に固定しているが、本開示は、これに限定されるものではない。例えば図９に示されるように、ルータ６０のケーシング６１と取付具６２とを、例えば合成樹脂で一体に形成することもできる。この場合、部品点数を削減することができる。
【００３７】
また、前述した実施形態では、通信装置としてルータを例示しているが、通信装置として無線ＬＡＮアダプタを用いた無線ＬＡＮアダプタアセンブリにも本開示を適用することができる。
【符号の説明】
【００３８】
１  ：  ルータアセンブリ（通信装置アセンブリ）
２  ：  ルータ（通信装置）
３  ：  取付具
４  ：  ケーシング
４ａ：  下面
４ｂ：  側面
５  ：  アンテナ
５ａ：  先端部
６  ：  接続部
７  ：  出口部
８  ：  出口部
９  ：  ＬＡＮケーブル
１０  ：  電源線
１０ａ：  プラグ
１１  ：  ベースプレート
１２  ：  傾斜プレート
１３ａ：  開口
１３ａ１：  上縁
１３ｂ：  開口
２１  ：  ルータアセンブリ
２２  ：  ルータ
２３  ：  取付具
２４  ：  筐体
２４ａ：  下面
２４ｂ：  面
２５  ：  固定片
２６  ：  開口
２７  ：  水抜き可能な孔
２８  ：  開口
２９  ：  開口
３０  ：  ベースプレート
３１ａ：  柱部
３１ｂ：  柱部
３２  ：  傾斜プレート
３３  ：  ルータ
４０  ：  ベースプレート
４１  ：  柱部
４２  ：  取付具
４３  ：  ルータ
４４  ：  接続部
５０  ：  部材
５０ａ：  傾斜面
５１  ：  ルータ
６０  ：  ルータ
６１  ：  ケーシング
６２  ：  取付具
α  ：  傾斜角度
Ｃ  ：  天井
【図１】
2020038561.tif 000003
【図２】
2020038561.tif 000004
【図３】
2020038561.tif 000005
【図４】
2020038561.tif 000006
【図５】
2020038561.tif 000007
【図６】
2020038561.tif 000008
【図７】
2020038561.tif 000009
【図８】
2020038561.tif 000010
【図９】
2020038561.tif 000011